【手続補正書】
【提出日】平成16年4月16日(2004.4.16)
【手続補正１】
【補正対象書類名】明細書
【補正対象項目名】発明の名称
【補正方法】変更
【補正の内容】
【発明の名称】撮像装置コントローラ、撮像システム、および撮像装置
【手続補正２】
【補正対象書類名】明細書
【補正対象項目名】特許請求の範囲
【補正方法】変更
【補正の内容】
【特許請求の範囲】
【請求項１】
駆動手段によって撮像手段の撮影する方角が可変の撮像部を制御するための撮像装置コントローラにおいて、
撮像手段が撮影する画像から生成されたパノラマ画像を表示するための表示手段と、
上記パノラマ画像を参照して、撮像手段の撮影する方角を変更するための制御手段を有することを特徴とする撮像装置コントローラ。
【請求項２】
駆動手段によって撮像手段の撮影する方角が可変の撮像部を制御するための撮像装置コントローラにおいて、
撮像手段が撮影した画像から生成されたパノラマ画像が表示される操作領域を有し、上記操作領域において、任意の一点を指定することによって、撮像手段の撮影する被写体を選択し、上記選択された被写体を駆動手段の任意の位置座標に移動させるための映像選択手段を備えたことを特徴とする撮像装置コントローラ。
【請求項３】
駆動手段によって撮像手段の撮影する方角が可変の撮像部を制御するための撮像装置コントローラにおいて、
撮像手段が撮影した画像から生成されたパノラマ画像が表示される操作領域を有し、上記操作領域において、任意の領域を指定することによって、撮像手段の撮影する被写体を選択し、上記任意の領域から生成される任意の一点に対応する位置の被写体を駆動手段の任意の位置座標に移動させるための映像選択手段を備えたことを特徴とする撮像装置コントローラ。
【請求項４】
請求項１、請求項２または請求項３において、
伝送路を介して上記撮像部が接続されることを特徴とする撮像装置コントローラ。
【請求項５】
請求項１、請求項２または請求項３において、
駆動手段の現在位置を、上記パノラマ画像上に表示するようにしたことを特徴とする撮像装置コントローラ。
【請求項６】
請求項１、請求項２または請求項３において、
駆動手段の可動範囲を、上記パノラマ画像上に表示するようにしたことを特徴とする撮像装置コントローラ。
【請求項７】
請求項１、請求項２または請求項３において、
撮像手段の撮影している画角を、上記パノラマ画像上に表示するようにしたことを特徴とする撮像装置コントローラ。
【請求項８】
請求項１、請求項２または請求項３において、
上記映像選択手段に、撮像手段の撮影する現在の映像をはめ込んだ他の操作領域をさらに有し、
上記他の操作領域において、指定されたを位置の被写体を、駆動手段の任意の位置座標に移動するようにしたことを特徴とする撮像装置コントローラ。
【請求項９】
請求項１、請求項２または請求項３において、
上記パノラマ画像の生成を指示する指示手段をさらに有することを特徴とする撮像装置コントローラ。
【請求項１０】
駆動手段によって撮像手段の撮影する方角が可変の撮像部と、撮像部を制御するための撮像装置コントローラからなる撮像システムにおいて、
撮像装置コントローラは、
撮像手段が撮影した画像から生成されたパノラマ画像が表示される操作領域を有し、上記操作領域において、撮像手段の撮影する被写体を選択し、上記選択された被写体を駆動手段の任意の位置座標に移動させるための映像選択手段を備えたことを特徴とする撮像システム。
【請求項１１】
請求項１０において、
伝送路を介して上記撮像部と上記撮像装置コントローラとが接続されることを特徴とする撮像システム。
【請求項１２】
請求項１０において、
上記パノラマ画像の生成を指示する指示手段をさらに有することを特徴とする撮像システム。
【請求項１３】
駆動手段によって撮像手段の撮影する方角が可変の撮像部を制御するための撮像装置において、
撮像手段が撮影する画像から生成されたパノラマ画像を表示するための表示手段と、
上記パノラマ画像を参照して、撮像手段の撮影する方角を変更するための制御手段を有することを特徴とする撮像装置。
【請求項１４】
駆動手段によって撮像手段の撮影する方角が可変の撮像部を制御するための撮像装置において、
撮像手段が撮影した画像から生成されたパノラマ画像が表示される操作領域を有し、上記操作領域において、任意の一点を指定することによって、撮像手段の撮影する被写体を選択し、上記選択された被写体を駆動手段の任意の位置座標に移動させるための映像選択手段を備えたことを特徴とする撮像装置。
【請求項１５】
駆動手段によって撮像手段の撮影する方角が可変の撮像部を制御するための撮像装置において、
撮像手段が撮影した画像から生成されたパノラマ画像が表示される操作領域を有し、上記操作領域において、任意の領域を指定することによって、撮像手段の撮影する被写体を選択し、上記任意の領域から生成される任意の一点に対応する位置の被写体を駆動手段の任意の位置座標に移動させるための映像選択手段を備えたことを特徴とする撮像装置。
【請求項１６】
請求項１３、請求項１４または請求項１５において、
伝送路を介して上記撮像部が接続されることを特徴とする撮像装置。
【請求項１７】
請求項１３、請求項１４または請求項１５において、
駆動手段の現在位置を、上記パノラマ画像上に表示するようにしたことを特徴とする撮像装置。
【請求項１８】
請求項１３、請求項１４または請求項１５において、
駆動手段の可動範囲を、上記パノラマ画像上に表示するようにしたことを特徴とする撮像装置。
【請求項１９】
請求項１３、請求項１４または請求項１５において、
撮像手段の撮影している画角を、上記パノラマ画像上に表示するようにしたことを特徴とする撮像装置。
【請求項２０】
請求項１３、請求項１４または請求項１５において、
上記映像選択手段に、撮像手段の撮影する現在の映像をはめ込んだ他の操作領域をさらに有し、
上記他の操作領域において、指定されたを位置の被写体を、駆動手段の任意の位置座標に移動するようにしたことを特徴とする撮像装置。
【請求項２１】
請求項１３、請求項１４または請求項１５において、
上記パノラマ画像の生成を指示する指示手段をさらに有することを特徴とする撮像装置。
【請求項２２】
駆動手段によって撮像手段の撮影する方角が可変の撮像部と、撮像部を制御するための撮像装置からなる撮像システムにおいて、
撮像装置は、
撮像手段が撮影した画像から生成されたパノラマ画像が表示される操作領域を有し、上記操作領域において、撮像手段の撮影する被写体を選択し、上記選択された被写体を駆動手段の任意の位置座標に移動させるための映像選択手段を備えたことを特徴とする撮像システム。
【請求項２３】
請求項２２において、
伝送路を介して上記撮像部と上記撮像装置とが接続されることを特徴とする撮像システム。
【請求項２４】
請求項２２において、
上記パノラマ画像の生成を指示する指示手段をさらに有することを特徴とする撮像システム。
【手続補正３】
【補正対象書類名】明細書
【補正対象項目名】０００１
【補正方法】変更
【補正の内容】
【０００１】
【発明の属する技術分野】
この発明は、あらゆる撮像装置での撮影用途に適用可能であり、特に遠隔地にある撮像装置での監視、観察、案内、紹介などの用途に、より良い操作性と、視認性とを実現することができる撮像装置コントローラ、撮像システム、および撮像装置に関する。


【手続補正４】
【補正対象書類名】明細書
【補正対象項目名】０００７
【補正方法】変更
【補正の内容】
【０００７】
従って、この発明の目的は、パンチルタの可動範囲の一部または全てをパノラマ画像として表示し、そのパノラマ画像上の任意の位置または任意の領域を指定することによって、所望の映像を撮像装置から容易に得ることができる撮像装置コントローラ、撮像システム、および撮像装置を提供することにある。


【手続補正５】
【補正対象書類名】明細書
【補正対象項目名】０００８
【補正方法】変更
【補正の内容】
【０００８】
この発明の他の目的は、撮像装置の撮影している画像が表示される操作領域上で所望の被写体を選択し、選択した被写体が例えば画面の中心になるように撮像装置を駆動することによって、視認性および操作性が向上された撮像装置コントローラ、撮像システム、および撮像装置を提供することにある。


【手続補正６】
【補正対象書類名】明細書
【補正対象項目名】０００９
【補正方法】変更
【補正の内容】
【０００９】
【課題を解決するための手段】
請求項１に記載の発明は、駆動手段によって撮像手段の撮影する方角が可変の撮像部を制御するための撮像装置コントローラにおいて、
撮像手段が撮影する画像から生成されたパノラマ画像を表示するための表示手段と、
パノラマ画像を参照して、撮像手段の撮影する方角を変更するための制御手段を有することを特徴とする撮像装置コントローラである。
請求項２の発明は、駆動手段によって撮像手段の撮影する方角が可変の撮像部を制御するための撮像装置コントローラにおいて、
撮像手段が撮影した画像から生成されたパノラマ画像が表示される操作領域を有し、操作領域において、任意の一点を指定することによって、撮像手段の撮影する被写体を選択し、選択された被写体を駆動手段の任意の位置座標に移動させるための映像選択手段を備えたことを特徴とする撮像装置コントローラである。
【手続補正７】
【補正対象書類名】明細書
【補正対象項目名】００１０
【補正方法】変更
【補正の内容】
【００１０】
請求項３の発明は、駆動手段によって撮像手段の撮影する方角が可変の撮像部を制御するための撮像装置コントローラにおいて、
撮像手段が撮影した画像から生成されたパノラマ画像が表示される操作領域を有し、操作領域において、任意の領域を指定することによって、撮像手段の撮影する被写体を選択し、任意の領域から生成される任意の一点に対応する位置の被写体を駆動手段の任意の位置座標に移動させるための映像選択手段を備えたことを特徴とする撮像装置コントローラである。
請求項１０の発明は、駆動手段によって撮像手段の撮影する方角が可変の撮像部と、撮像部を制御するための撮像装置コントローラからなる撮像システムにおいて、
撮像装置コントローラは、
撮像手段が撮影した画像から生成されたパノラマ画像が表示される操作領域を有し、操作領域において、撮像手段の撮影する被写体を選択し、選択された被写体を駆動手段の任意の位置座標に移動させるための映像選択手段を備えたことを特徴とする撮像システムである。
【手続補正８】
【補正対象書類名】明細書
【補正対象項目名】００１１
【補正方法】変更
【補正の内容】
【００１１】
請求項１３の発明は、駆動手段によって撮像手段の撮影する方角が可変の撮像部を制御するための撮像装置において、
撮像手段が撮影する画像から生成されたパノラマ画像を表示するための表示手段と、
パノラマ画像を参照して、撮像手段の撮影する方角を変更するための制御手段
を有することを特徴とする撮像装置である。
請求項１４の発明は、駆動手段によって撮像手段の撮影する方角が可変の撮像部を制御するための撮像装置において、
撮像手段が撮影した画像から生成されたパノラマ画像が表示される操作領域を有し、操作領域において、任意の一点を指定することによって、撮像手段の撮影する被写体を選択し、選択された被写体を駆動手段の任意の位置座標に移動させるための映像選択手段を備えたことを特徴とする撮像装置である。
【手続補正９】
【補正対象書類名】明細書
【補正対象項目名】００１２
【補正方法】変更
【補正の内容】
【００１２】
請求項１５の発明は、駆動手段によって撮像手段の撮影する方角が可変の撮像部を制御するための撮像装置において、
撮像手段が撮影した画像から生成されたパノラマ画像が表示される操作領域を有し、操作領域において、任意の領域を指定することによって、撮像手段の撮影する被写体を選択し、任意の領域から生成される任意の一点に対応する位置の被写体を駆動手段の任意の位置座標に移動させるための映像選択手段を備えたことを特徴とする撮像装置である。
請求項２２の発明は、駆動手段によって撮像手段の撮影する方角が可変の撮像部と、撮像部を制御するための撮像装置からなる撮像システムにおいて、
撮像装置は、
撮像手段が撮影した画像から生成されたパノラマ画像が表示される操作領域を有し、操作領域において、撮像手段の撮影する被写体を選択し、選択された被写体を駆動手段の任意の位置座標に移動させるための映像選択手段を備えたことを特徴とする撮像システムである。